(57)【特許請求の範囲】
【請求項１】
シートを搬送するシート搬送路と、
加熱により前記シート上の画像を消去する消去部と、
前記消去部のシート搬送方向上流に設けられ、シートを検知する手前センサと、
前記消去部のシート搬送方向下流の前記シート搬送路に沿って設けられるファンと、
前記手前センサが前記シートを検知しなくなってから所定時間経過し、かつ、連続して消去される前記シートの枚数が所定の枚数を超えた場合、前記ファンを駆動させる制御部と、
を備える消去装置。
【請求項２】
前記シート搬送路の前記消去部のシート搬送方向下流に前記シート搬送路の温度を検知する搬送路温度センサをさらに備え、
前記制御部は、
前記搬送路温度センサが検知した温度が閾値以上であり、かつ、前記手前センサが前記シートを検知しなくなってから所定時間経過し、かつ、連続して消去される前記シートの枚数が所定の枚数を超えた場合、前記ファンを駆動させる
請求項１に記載の消去装置。
【請求項３】
前記ファンは、
前記手前センサがシートを検知しなくなってから所定時間後に駆動される請求項１又は請求項２に記載の消去装置。
【請求項４】
前記ファンは、
前記手前センサがシートを検知した場合、駆動を停止する請求項１乃至請求項３のいずれか１項に記載の消去装置。
【請求項５】
加熱により前記シート上の画像を消去する消去部のシート搬送方向上流に設けられる手前センサによってシートを検知し、
前記消去部のシート搬送方向下流のシート搬送路に沿って設けられるファンを前記手前センサが前記シートを検知しなくなってから所定時間経過し、かつ、連続して消去される前記シートの枚数が所定の枚数を超えた場合に駆動させる
消去装置の消去方法。
【発明の詳細な説明】
【技術分野】
【０００１】
本発明の実施形態は、消去装置及び消去装置の消去方法に関する。
【背景技術】
【０００２】
省資源やコスト削減のために、消去可能な色剤によって画像形成された記録媒体上の画像を消去する消去装置が実用化されている。
【０００３】
この消去可能な色剤は例えば加熱することによって色が消える。従って、消去装置は記録媒体を加熱する消去部を備え、この消去部が記録媒体を加熱することにより、記録媒体上の画像を消去する。加熱された記録媒体は搬送路を通過して記録媒体を蓄積する蓄積部に搬送される。
【０００４】
加熱された記録媒体はかなりの熱をもっており、搬送路はこの熱により温度が上昇する。この温度が上がりすぎると記録媒体を劣化させ、また消去装置自体に悪影響を及ぼす。また、記録媒体が紙である場合、紙に含まれる水蒸気が結露する場合がある。そこで、搬送路を冷却するファンを備える消去装置が提案されている。
【０００５】
しかし、このファンを備える消去装置はファンが常時駆動している。従って、還流風が消去部を冷やしてしまい、加熱効率が低下していた。
【先行技術文献】
【特許文献】
【０００６】
【特許文献１】特開２００５−１６９６７７号公報
【発明の概要】
【発明が解決しようとする課題】
【０００７】
搬送路を効率よく冷却するとともに記録媒体上の画像を加熱消去する消去部の冷却を最小限にする消去装置及び消去装置の消去方法が求められている。
【課題を解決するための手段】
【０００８】
上記の課題を解決するために、本発明の一実施形態は、シートを搬送するシート搬送路と、加熱によりシート上の画像を消去する消去部と、消去部のシート搬送方向上流に設けられ、シートを検知する手前センサと、消去部のシート搬送方向下流のシート搬送路に沿って設けられるファンと、手前センサがシートを検知しなくなってから所定時間経過し、かつ、連続して消去されるシートの枚数が所定の枚数を超えた場合、ファンを駆動させる制御部と、を備える消去装置を提供する。
【図面の簡単な説明】
【０００９】
【図１】消去装置の構成を説明する概略図である。
【図２】消去装置のハードウェア構成を説明するブロック図である。
【図３】手前センサのシートの検知タイミングと、ファンの駆動タイミングとを示したタイミングチャートである。
【図４】第１の実施形態に係る消去装置のファンの制御動作を示すフローチャートである。
【図５】第２の実施形態に係る消去装置のファンの制御動作を示すフローチャートである。
【発明を実施するための形態】
【００１０】
以下、画像形成システム及び消去装置及び消去装置の消去方法の一実施形態について、図面を用いて詳細に説明する。
【００１１】
本実施形態の消去装置は、シートを搬送するシート搬送路と、加熱によりシート上の画像を消去する消去部と、消去部のシート搬送方向上流に設けられ、シートを検知する手前センサと、消去部のシート搬送方向下流のシート搬送路に沿って設けられ、手前センサがシートを検知するタイミングに基づいて駆動動作が制御されるファンと、を備える。
【００１２】
図１は、消去装置１００の構成を説明する概略図である。消去装置１００は、消色可能トナーや消色可能インク等の消色可能色材により画像を形成されたシートに対して、消色可能な色材（以下、単に記録材料と呼ぶ。）による画像の色を消す消色処理を施す。
【００１３】
消去装置１００は、給紙トレイ１０２、給紙部材１０４、読取部１０６、消去部１０８、リユーストレイ１１０、リジェクトトレイ１１２、排出部材１１４、１１６、第１搬送路１１８、第２搬送路１２０、第３搬送路１２２、第１分岐部材１２４、第２分岐部材１２６、ファン１４３及び操作部１２８を備える。
【００１４】
給紙トレイ１０２は、再利用するためのシートを積載する。給紙トレイ１０２は、Ａ４、Ａ３、Ｂ５等、様々なサイズのシートを積載する。給紙トレイ１０２が積載するシートは、例えば、所定温度以上に加熱することにより消色する記録材料で画像形成されたシートである。
【００１５】
給紙部材１０４は、ピックアップローラ、シート供給ローラ、およびシート供給ローラに対抗配置される分離ローラ等を有し、給紙トレイ１０２上のシートを１枚ずつ消去装置１００内部の第１搬送路１１８に供給する。
【００１６】
また、給紙トレイ１０２は、給紙トレイ１０２上のシートの有無を検知する検知センサ１０３を有する。検知センサ１０３は、例えば、マイクロセンサやマイクロアクチュエータであって良い。
【００１７】
第１搬送路１１８は、給紙トレイ１０２からリユーストレイ１１０へ向かう搬送路を形成する。第１搬送路１１８は、給紙されたシートを読取部１０６を経由してリユーストレイ１１０へ搬送する。
【００１８】
読取部１０６は、給紙トレイ１０２に対し、シート搬送方向下流において第１搬送路１１８に沿って配置される。読取部１０６は、例えば、ＣＣＤ（Ｃｈａｒｇｅ  Ｃｏｕｐｌｅｄ  Ｄｅｖｉｃｅ）スキャナあるいはＣＭＯＳセンサ等の読取ユニットを有する。
【００１９】
本実施の形態では、読取部１０６は、搬送されるシートの第１面および第２面のそれぞれの画像を読み取る。すなわち、読取部１０６は、第１搬送路１１８に沿ってかつ搬送路を挟んで配置される第１の読取ユニット１０６Ａ及び第２の読取ユニット１０６Ｂを備え、搬送されるシートの画像の両面を読み取る。読取部１０６の読取ユニットがシートの画像を読み取る位置を読取位置と呼ぶ。読取部１０６が読み取った画像は、図２に示す記憶部２１０に保存される。
【００２０】
例えば、消色処理する前に読取部１０６が読み取ったシート上の画像を電子化して記憶部へ保存することにより、後で消色された画像のデータが必要となった場合に、画像データを取得することができる。また、後述する制御部２００は、読取部１０６が読み取った画像に基づいて、消色可能なシートか否か、あるいは、再利用可能なシートか否かを判断する。
【００２１】
消去装置１００は、読取部１０６の下流に切り替え部としての第１分岐部材１２４を備える。
【００２２】
第１分岐部材１２４は、搬送されるシートの搬送方向を切り替える。第１分岐部材１２４は、第１搬送路１１８を搬送されるシートを第２搬送路１２０またはリユーストレイ１１０へ搬送する。
【００２３】
第２搬送路１２０は、第１分岐部材１２４が配置される分岐点において第１搬送路１１８より分岐する。分岐点より分岐した第２搬送路１２０は、シートを消去部１０８へ搬送する。また、第２搬送路１２０は、読取部１０６よりもシート搬送方向上流における合流点１２１において、第１搬送路１１８に合流する。すなわち、第２搬送路１２０は、給紙トレイ１０２と読取部１０６の間における合流点１２１で第１搬送路１１８に合流する。
【００２４】
したがって、第２搬送路１２０は、読取部１０６から搬送されてきたシートを、消去部１０８を経由して、再び、読取部１０６へ搬送することができる。
【００２５】
すなわち、消去装置１００は、給紙部材１０４から供給されたシートを、第１分岐部材１２４を制御して、読取部１０６、消去部１０８、読取部１０６の順に搬送することができる。
【００２６】
第１搬送路１１８は、第１分岐部材１２４の下流に第２分岐部材１２６を有する。第２分岐部材１２６は、第１分岐部材１２４から搬送されたシートをリユーストレイ１１０または第３搬送路１２２へ案内する。第３搬送路１２２は、シートをリジェクトトレイ１１２へ搬送する。
【００２７】
消去部１０８は、搬送されるシートの画像の色を消す。例えば、消去部１０８は、搬送されるシートへ接触した状態で、シートを所定の消色温度まで加熱することにより、記録材料によりシート上に形成された画像の色を消色する。
【００２８】
例えば、本実施の形態の消去装置１００の消去部１０８は、シートの第１面消色用の第１の消色ユニット１０８Ａと、第２面消色用の第２の消色ユニット１０８Ｂと、を有する。
【００２９】
第１の消色ユニット１０８Ａは、ヒータを有する第１の加熱ローラ１０８Ｈと、第１の加熱ローラ１０８Ｈの温度を検知する第１の加熱ローラ温度センサ１０９Ａと、第１の従動ローラとを備える。第１の加熱ローラ１０８Ｈと第１の従動ローラとは第２搬送路を挟み、対向配置される。
【００３０】
第２の消色ユニット１０８Ｂは、ヒータを有する第２の加熱ローラ１０８Ｉと、第２の加熱ローラ１０８Ｉの温度を検知する第２の加熱ローラ温度センサ１０９Ｂと、第２の従動ローラとを備える。
【００３１】
以下、第１の加熱ローラ温度センサ１０９Ａと第２の加熱ローラ温度センサ１０９Ｂとを加熱ローラ温度センサという。
【００３２】
第２の加熱ローラ１０８Ｉと第２の従動ローラとは第２搬送路を挟み、対向配置される。
【００３３】
第１の加熱ローラ１０８Ｈと第２の加熱ローラ１０８Ｉとは、第２搬送路を挟み、互いに反対側に配置される。
【００３４】
第１の加熱ローラ１０８Ｈは、シートの一方の面側からシートへ当接して加熱する。第２の加熱ローラ１０８Ｉは、シートの他方の面側からシートへ当接して加熱する。すなわち、消去部１０８は、搬送されるシート両面の画像を一度の搬送で消色する。
【００３５】
消去装置１００は、消去部１０８のシート搬送方向上流に、消去部１０８へのシートの進入を検知する手前センサ１４１と、消去部１０８のシート搬送方向下流に、消去部１０８からのシートの排出を検知する後段センサ１４４と、を備える。
【００３６】
消去装置１００本体の上部に配置された操作部１２８は、タッチパネル式の表示部と各種の操作キーと、を有する。
【００３７】
操作キーは、例えばテンキー、ストップキー、スタートキー等を有する。ユーザは、操作部を介して、消色の開始あるいは消色するシートの画像の読み込み等の消去装置１００の機能動作を指示する。
【００３８】
操作部１２８は、消去装置１００の設定情報や動作ステータス、ログ情報、あるいはユーザへのメッセージを表示する。なお、操作部１２８は、消去装置１００の本体に配置されるものに限定されない。例えばネットワークを介して消去装置１００と接続される外部装置の操作部から操作できる構成であっても良い。あるいは、操作部は、消去装置本体から独立した形態であり、有線あるいは無線通信によって消去装置１００を操作する構成であっても良い。本実施形態の操作部は、消去装置１００に対して処理の指示や情報の閲覧等ができるものであれば良い。
【００３９】
排出部材１１４、１１６は、シートを、本体の下部に上下に配置されたリユーストレイ１１０、リジェクトトレイ１１２へ排出する。たとえば、リユーストレイ１１０は、シート上の画像が消色され、再利用可能となったシートを積載する。リジェクトトレイ１１２は、再利用不可と判断されたシートを積載する。
【００４０】
シートの搬送経路は、消去装置１００が実行する処理モードに基づいて適宜変更される。消去装置１００は、複数の処理モードを有する。消去装置１００は、例えば、（１）画像読取を行わず、消色処理のみを行う第１消色モード、（２）画像の読み取り後、消色処理を行う第２消色モード、（３）消色前の読取処理を行わず、消色処理後、用紙Ｐの再利用可否の分別（分別処理）を実施する第３消色モード、（４）画像の読み取り後、消色処理を実施し、さらに分別処理を実施する第４消色モード、（５）画像消色を行わず、画像の読取処理を実施する読取モードを有する。
【００４１】
上述の各モードは、消去装置１００の操作部１２８で選択できる。また、各処理モードの選択は、消去装置１００の操作部１２８に限らず、外部の端末から設定しても良い。第１乃至第４の消色モードでは、シートは必ず消去部１０８へ搬送される。
【００４２】
一方、読取モードでは、消去装置１００は、第１分岐部材１２４を制御して、シートを消去部１０８へ搬送することなく、読取部１０６を経由して排出する。
【００４３】
消去装置１００は、第１乃至第３搬送路１１８、１２０、１２２を搬送されるシートを検知する複数のシート検知センサ１３０、１３１、１３２および１３３を有する。
【００４４】
消去装置１００は、消去部１０８のシート搬送方向下流に、搬送路を冷却する第１のファン１４３Ａ及び第２のファン１４３Ｂ（第１のファン１４３Ａと第２のファン１４３Ｂとをファン１４３という。）
第１のファン１４３Ａと第２のファン１４３Ｂとは第２搬送路１２０を挟んで互いに反対側に配置される。
【００４５】
消去装置１００は、第２搬送路の１２０のファン１４３のシート搬送方向下流に第２搬送路１２０の温度を検知する搬送路温度センサ１４２を備える。
【００４６】
図２は、消去装置のハードウェア構成を説明するブロック図である。消去装置１００は、制御部２００と、記憶部２１０と、検知部２１２と、通信インターフェース（通信Ｉ／Ｆ）２１４と、搬送部２１６と、読取部１０６と、消去部１０８と、操作部１２８と、を有する。
【００４７】
制御部２００は、ＣＰＵ（Ｃｅｎｔｒａｌ  Ｐｒｏｃｅｓｓｉｎｇ  Ｕｎｉｔ）などのプロセッサ２０２、記憶装置であるメモリ２０４を有する。
【００４８】
制御部２００は、読取部１０６、消去部１０８、操作部１２８を制御する。メモリ２０４は、例えば、半導体メモリであり、各種制御プログラムを格納するＲＯＭ（Ｒｅａｄ  Ｏｎｌｙ  Ｍｅｍｏｒｙ）２０６と、プロセッサ２０２に一時的な作業領域を提供するＲＡＭ（Ｒａｎｄｏｍ  Ａｃｃｅｓｓ  Ｍｅｍｏｒｙ）２０８とを有する。
【００４９】
例えば、ＲＯＭ２０６は、再利用可否の閾値とする用紙の印字率、画像が消色されたか否かを判断するための濃度閾値等を格納する。ＲＡＭ２０８は、読取部１０６で読み取った画像を一時的に保存しても良い。消去装置１００の各コンポーネントは、バス２１８を介して接続される。
【００５０】
制御部２００は、例えば、操作部１２８で設定された上記処理モード（１）〜（５）に応じて、読取部１０６、消去部１０８、およびその他の構成を制御する。
【００５１】
例えば、第１乃至第４の消色モードが選択された場合には、制御部２００は、消去部１０８にシートの画像を消色させる。消去部１０８へシートが搬送される前に、読取部１０６がシートを読み取る場合には（第２消色モード、第４消色モード）、制御部２００は、読取部１０６で読み取った画像を記憶部２１０へ保存する。
【００５２】
ここで、制御部２００は、読取部１０６が読み取ったシート画像のデータ中に機密データ等の消色を禁止すべき禁止データが含まれているか否かを判定してもよい。
【００５３】
あるいは、読み取ったシート上の画像の印字率が閾値を超えるか否かを判断しても良い。消色を禁止すべきデータが含まれる場合あるいは、印字率が閾値を超える場合には、制御部２００は、シートをリジェクトトレイ１１２へ搬送する。
【００５４】
一方、消色を禁止すべきデータが含まれない場合あるいは、印字率が閾値を超えない場合には、シート上の画像を読み取った後、制御部２００は、シートを消去部１０８へ搬送する。
【００５５】
また、制御部２００は、消去部１０８がシートの画像を消色した後に、この消色されたシートの画像を読取部１０６が読み取る場合には（第３消色モード、第４消色モード）、読取部１０６が読み取った画像のデータに基づいて、シートが再利用可能か否かを判定する。
【００５６】
制御部２００は、上記判定結果に基づいて、シートの搬送先を決定する。再利用可能か否かを判定する分別処理は、シート上に画像があるか否かを判定する処理を含む。例えば、消去部１０８で消色処理された後のシートを読み取った場合に、消去されずに残っている画像ある場合には、消色残りがあるとして、再利用不可と判断する。あるいは、分別処理は、読み取った画像に基づいて、シートの折れの有無や、しわ深さ、あるいは穴が開いている等の状態に基づいて、再利用可能か否かを判定する処理を含む。
【００５７】
制御部２００は、検知部２１２からの信号に基づいて、装置内部の各構成を制御する。検知部２１２は、検知センサ１０３、加熱ローラ温度センサ１０９Ａ、１０９Ｂ、およびシート検知センサ１３０、１３１、１３２、１３３、手前センサ１４１、後段センサ１４４、搬送路温度センサ１４２を含む。
【００５８】
制御部２００は、検知センサ１０３からの信号に基づいて給紙トレイ１０２上のシートの有無を判断する。また、制御部２００は、加熱ローラ温度センサ１０９Ａ、１０９Ｂを用いて第１の加熱ローラ１０８Ｈおよび第２の加熱ローラ１０８Ｉの温度を検知するとともに、第１の加熱ローラ１０８Ｈおよび第２の加熱ローラ１０８Ｉの温度を制御する。
【００５９】
また、制御部２００は、シート検知センサ１３０、１３１、１３２、１３３を用いて、第１乃至第３搬送路１１８、１２０、１２２内のシートの位置を把握する。
【００６０】
記憶部２１０は、読取部１０６で読み取った画像を保存する。また、記憶部２１０は、消去装置１００で処理したシートの処理枚数を記憶する。記憶部２１０としては、例えば、ハードディスクドライブやその他の磁気記憶装置、光学式記憶装置、フラッシュ・メモリ等の半導体記憶装置またはこれらの任意の組合せであってよい。
【００６１】
消去装置１００は、外部機器と接続するインターフェースである通信Ｉ／Ｆ２１４を備える。
【００６２】
搬送部２１６は、第１搬送路１１８、第２搬送路１２０および第３搬送路１２２に配置される複数の搬送ローラと、搬送ローラを駆動する搬送モータとを有する。制御部２００は、搬送部２１６の搬送モータの駆動を制御することによって、シートの搬送速度を制御する。ここで、シートの画像を読み取るために読取部１０６を搬送されるシートの速度を読取速度、シートの画像の色を消すために消去部１０８を搬送されるシートの速度を消色速度とする。搬送部２１６の搬送ローラおよび搬送モータについては後述する。
【００６３】
消去装置１００は、制御部２００によってファン１４３の駆動タイミングを制御する。
【００６４】
（第１の実施形態）
本実施形態においては、消去装置１００は手前センサ１４１の出力に基づいてファン１４３の駆動タイミングを制御する。
【００６５】
具体的には、消去装置１００は、手前センサ１４１の出力に基づいて消去部１０８へのシートの進入を検知した場合、手前センサ１４１がシートを検知してから所定時間経過後にファン１４３を駆動させる。
【００６６】
図３は、手前センサ１４１のシートの検知タイミングと、ファン１４３の駆動タイミングとを示したタイミングチャートである。手前センサ１４１及び後段センサ１４４はシートを検出するとＯＮ、検出しないとＯＦＦを出力する。
【００６７】
図３に示すように、消去装置１００は、電源投入時にはファン１４３を駆動させない。消去装置１００は手前センサ１４１がＯＮからＯＦＦに変わるタイミングを検知する。このタイミングは、シートが消去部１０８に進入したタイミングとほぼ等しい。
【００６８】
消去装置１００は、制御部２００により手前センサ１４１がＯＮからＯＦＦに変わるタイミングから所定時間ｔ１経過後にファン１４３を駆動させる。この時間ｔ１はシートが手前センサ１４１に検知されてから消去部１０８を通過するまでの時間に等しい。
【００６９】
そして、消去装置１００は次のシートが手前センサ１４１によって検知されるまでファン１４３を駆動させ、次のシートが手前センサ１４１によって検知された場合、ファン１４３を停止させる。
【００７０】
この動作によって、ファン１４３からの還流風が消去部１０８を冷やすことを防止できる。
【００７１】
なお、後段センサ１４４が設けられている場合には、次のように制御してもよい。
【００７２】
消去装置１００は、電源投入時にはファン１４３を駆動させない。消去装置１００は後段センサ１４４がＯＮからＯＦＦに変わるタイミングを検知する。このタイミングは、シートが消去部１０８から排出されたタイミングとほぼ等しい。
【００７３】
消去装置１００は、制御部２００により後段センサ１４４がＯＮからＯＦＦに変わったことを検知した場合、ファン１４３を駆動させる。
【００７４】
そして、消去装置１００は次のシートが手前センサ１４１によって検知されるまでファン１４３を駆動させ、次のシートが手前センサ１４１によって検知された場合、ファン１４３を停止させる。
【００７５】
図４は、第１の実施形態に係る消去装置１００のファン１４３の制御動作を示すフローチャートである。図４に示すように、動作４０１において、消去装置１００は電源が投入される。
【００７６】
動作４０２において、消去装置１００は手前センサ１４１がＯＮとなったかを判定する。消去装置１００は手前センサ１４１がＯＮとなったと判定した場合、動作４０３に進み、ＯＮとなったと判定しない場合、動作４０２に戻る。
【００７７】
動作４０３において、消去装置１００はファン１４３を駆動させる。
【００７８】
動作４０４において、消去装置１００は手前センサ１４１がＯＮからＯＦＦに変化したタイミングから所定時間ｔ１経過したかを判定する。消去装置１００は手前センサ１４１がＯＮからＯＦＦに変化したタイミングから所定時間ｔ１経過したと判定した場合、動作４０５に進み、所定時間ｔ１経過していないと判定した場合、動作４０４に戻る。
【００７９】
動作４０５において、消去装置１００はファン１４３を駆動させる。
【００８０】
動作４０６において、消去装置１００は消去すべき次のシートがないかを判定する。消去装置１００は消去すべき次のシートがないと判定した場合、動作４０７に進み、次のシートがないと判定しなかった場合、動作４０２に戻る。
【００８１】
動作４０７において、消去装置１００は第１の加熱ローラ１０８Ｈおよび第２の加熱ローラ１０８ＩのヒータをＯＦＦにする。
【００８２】
動作４０８において、消去装置１００は、ヒータをＯＦＦしてから所定時間経過したかを判定する。消去装置１００は、ヒータをＯＦＦしてから所定時間経過したと判定した場合、動作４０９に進み、所定時間経過していないと判定した場合、動作４０８に戻る。
【００８３】
動作４０９において、消去装置１００はファン１４３の駆動を停止させ、処理を終了する。
【００８４】
以上述べたように、本実施形態の消去装置１００は、シートを搬送するシート搬送路と、加熱によりシート上の画像を消去する消去部１０８と、消去部１０８のシート搬送方向上流に設けられ、シートを検知する手前センサ１４１と、消去部１０８のシート搬送方向下流のシート搬送路に沿って設けられ、手前センサ１４１がシートを検知するタイミングに基づいて駆動動作が制御されるファン１４３と、を備える。
【００８５】
従って、シート搬送路を効率よく冷却するとともにシート上の画像を加熱消去する消去部１０８の冷却を最小限にすることができるという効果がある。
【００８６】
（第２の実施形態）
本実施形態においては、消去装置１００は手前センサ１４１の出力、又は搬送路温度センサ１４２の出力、又は制御部２００がカウントした連続消去枚数に基づいてファン１４３の駆動タイミングを制御する。
【００８７】
具体的には、消去装置１００は、次の条件が満たされた場合、ファン１４３を駆動させる。
【００８８】
（１）手前センサ１４１がＯＮからＯＦＦに変わるタイミングから所定時間ｔ１経過し、
（２）搬送路温度センサ１４２によって検出した搬送路の温度が閾値以上であるか、または
（３）連続して消去されるシートの枚数が閾値以上である。
【００８９】
消去装置１００は次のシートが手前センサ１４１によって検知されるまでファン１４３を駆動させ、次のシートが手前センサ１４１によって検知された場合、ファン１４３を停止させる。
【００９０】
この動作によって、ファン１４３からの還流風が消去部１０８を冷やすことを防止できる。
【００９１】
なお、後段センサ１４４が設けられている場合には、次のように制御してもよい。
【００９２】
具体的には、消去装置１００は、次の条件が満たされた場合、ファン１４３を駆動させる。
【００９３】
（１）後段センサ１４４がＯＮからＯＦＦに変わったことを検知し、
（２）搬送路温度センサ１４２によって検出した搬送路の温度が閾値以上であるか、または
（３）連続して消去されるシートの枚数が閾値以上である。
【００９４】
消去装置１００は次のシートが手前センサ１４１によって検知されるまでファン１４３を駆動させ、次のシートが手前センサ１４１によって検知された場合、ファン１４３を停止させる。
【００９５】
消去装置１００は次のシートが手前センサ１４１によって検知されるまでファン１４３を駆動させ、次のシートが手前センサ１４１によって検知された場合、ファン１４３を停止させる。
【００９６】
図５は、第２の実施形態に係る消去装置１００のファン１４３の制御動作を示すフローチャートである。図５に示すように、動作５０１において、消去装置１００は電源が投入される。
【００９７】
動作５０２において、消去装置１００は手前センサ１４１がＯＮとなったかを判定する。消去装置１００は手前センサ１４１がＯＮとなったと判定した場合、動作５０３に進み、ＯＮとなったと判定しない場合、動作５０２に戻る。
【００９８】
動作５０３において、消去装置１００はファン１４３を駆動させる。
【００９９】
動作５０４において、消去装置１００は次の条件が満たされたかを判定する。
【０１００】
（１）手前センサ１４１がＯＮからＯＦＦに変わるタイミングから所定時間ｔ１経過し、
（２）搬送路温度センサ１４２によって検出した搬送路の温度が閾値以上であるか、または
（３）連続して消去されるシートの枚数が閾値以上である。
【０１０１】
消去装置１００は上記のいずれかの条件が満たされたと判定した場合、動作５０５に進み、いずれの条件も満たされていないと判定した場合、動作５０４に戻る。
【０１０２】
動作５０５において、消去装置１００はファン１４３を駆動させる。
【０１０３】
動作５０６において、消去装置１００は消去すべき次のシートがないかを判定する。消去装置１００は消去すべき次のシートがないと判定した場合、動作５０７に進み、次のシートがないと判定しなかった場合、動作５０２に戻る。
【０１０４】
動作５０７において、消去装置１００は第１の加熱ローラ１０８Ｈおよび第２の加熱ローラ１０８ＩのヒータをＯＦＦにする。
【０１０５】
動作５０８において、消去装置１００は、ヒータをＯＦＦしてから所定時間経過したかを判定する。消去装置１００は、ヒータをＯＦＦしてから所定時間経過したと判定した場合、動作５０９に進み、所定時間経過していないと判定した場合、動作５０８に戻る。
【０１０６】
動作５０９において、消去装置１００はファン１４３の駆動を停止させ、処理を終了する。
【０１０７】
以上述べたように、本実施形態の消去装置１００は、シートを搬送するシート搬送路と、加熱によりシート上の画像を消去する消去部１０８と、消去部１０８のシート搬送方向上流に設けられ、シートを検知する手前センサ１４１と、シート搬送路の消去部１０８のシート搬送方向下流にシート搬送路の温度を検知する搬送路温度センサ１４２と、消去部１０８のシート搬送方向下流のシート搬送路に沿って設けられ、手前センサ１４１がシートを検知するタイミング又は搬送路温度センサ１４２の検知温度または連続消去枚数に基づいて駆動動作が制御されるファン１４３と、を備える。
【０１０８】
従って、シート搬送路をさらに効率よく冷却するとともにシート上の画像を加熱消去する消去部１０８の冷却を最小限にすることができるという効果がある。
【０１０９】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１０】
１０８：消去部
１４１：手前センサ
１４２：搬送路温度センサ
１４３：ファン
１４４：後段センサ
【図１】
0005634479.tif 000002
【図２】
0005634479.tif 000003
【図３】
0005634479.tif 000004
【図４】
0005634479.tif 000005
【図５】
0005634479.tif 000006